(57)【特許請求の範囲】
【請求項１】
垂直に起立する左右一対の支柱の上端部間に巻取ドラムを横架し、一端がスライダを介して前記支柱に沿って上下動する左右一対のアームを設け、前記巻取ドラムに巻装された日除けシートを前記アームの他端に取り付け、アームの一端を前記支柱に沿って上下動させて該アームを開閉することによって前記日除けシートを前記巻取ドラムから引き出し或は前記巻取ドラムに巻き取るようにしたオーニングの前記アームの開閉をロックする機構であって、
係合孔が形成されたロックプレートを前記支柱側に固設し、該ロックプレートの前記係合孔に係脱するロックピンと該ロックピンを係合方向に付勢する付勢手段を前記スライダに設けるとともに、レバーの回動操作によって回動して前記ロックプレートの係合孔に係脱するロック解除アームを前記支柱内に設けて構成されることを特徴とするオーニングの開閉ロック機構。
【請求項２】
前記ロックプレートの前記ロックピンの摺動面に、ロックピンを該ロックプレートの係合孔に導くためのテーパ面を形成したことを特徴とする請求項１記載のオーニングの開閉ロック機構。
【請求項３】
前記ロックプレートと前記ロック解除アームを前記アームの開閉位置にそれぞれ設け、前記レバーの回動操作によって前記ロック解除アームを同時に逆方向に回動せしめ、前記アームの開閉位置の一方においてアームの開閉をロックし、他方においてアームの開閉ロックを解除することを特徴とする請求項１又は２記載のオーニングの開閉ロック機構。
【請求項４】
前記レバーと共に回動する駆動アームを設け、該駆動アームの両端部をリンクロッドを介して２つの前記ロック解除アームにそれぞれ連結したことを特徴とする請求項３記載のオーニングの開閉ロック機構。
【請求項５】
前記各ロック解除アームをロック又はロック解除位置に保持するための保持手段を前記駆動アーム部に設け、該保持手段を、前記駆動アームをその中立点を境として両回動方向に付勢するスプリングで構成したことを特徴とする請求項４記載のオーニングの開閉ロック機構。
【請求項６】
少なくとも一方の支柱に設けられた前記ロック解除アームと他方の支柱に設けられた前記ロック解除アームとを互いに連結し、一方の支柱に設けられた前記レバーの回動操作によって全ロック解除アームを同時に回動させるよう構成したことを特徴とする請求項３〜５の何れかに記載のオーニングの開閉ロック機構。
【請求項７】
左右一対の前記支柱の上端部間に横架された桁材の内部に軸を水平且つ回動可能に収容し、一方の支柱に設けられた前記ロック解除アームの回動をリンクロッドを介して前記軸に伝達し、該軸の回動を別のリンクロッドを介して他方の支柱に設けられた前記ロック解除アームに伝達するよう構成したことを特徴とする請求項６記載のオーニングの開閉ロック機構。
【発明の詳細な説明】
【技術分野】
【０００１】
本発明は、アームを支柱に沿って上下動させて該アームを開閉することによって日除けシートを巻取ドラムから引き出し或は巻取ドラムに巻き取るようにしたオーニングの前記アームの開閉をロックするためのロック機構に関するものである。
【背景技術】
【０００２】
必要に応じて日除けシートを引き出し或は巻き取って収納することができるようにしたオーニングが例えば店舗の入口の日除けやカーポート等の用途に供されている。この種のオーニングとしては、垂直に起立する左右一対の支柱の上端部間に巻取ドラムを横架し、一端がスライダを介して前記支柱に沿って上下動する左右一対のアームを設け、前記巻取ドラムに巻装された日除けシートを前記アームの他端に取り付け、アームの一端を前記支柱に沿って上下動させて該アームを開閉することによって、前記日除けシートを前記巻取ドラムから引き出し或は前記巻取ドラムに巻き取るようにしたものが知られている（例えば、特許文献１参照）。
【０００３】
ところで、この種のオーニングにおいては、左右のアームを支柱に対して略直角になるよう開いて日除けシートを巻取ドラムから引き出している使用状態、或は左右のアームを支柱に対して略平行になるよう閉じて（折り畳んで）日除けシートを巻取ドラムに巻き取って収納している不使用状態において強風等によってアームが開閉しないようこれをロックしておくための機構が設けられている（例えば、特許文献２参照）。
【特許文献１】特開２００３−２６８９４３号公報
【特許文献２】特開２００５−０２３７６１号公報
【発明の開示】
【発明が解決しようとする課題】
【０００４】
ところが、特許文献２に記載されたオーニングのロック機構においては、左右のアームを開閉位置において同時にロックするためのロック機構が設けられていないのが実情である。又、操作レバーを握りながら操作する必要があるため、大型のオーニングでは手が届かず、ロックが解除できないことも考えられる。
【０００５】
本発明は上記問題に鑑みてなされたもので、その目的とする処は、１つのレバー操作によって左右のアームを開閉位置において同時且つ容易にロックすることができるオーニングの開閉ロック機構を提供することにある。
【課題を解決するための手段】
【０００６】
上記目的を達成するため、請求項１記載の発明は、垂直に起立する左右一対の支柱の上端部間に巻取ドラムを横架し、一端がスライダを介して前記支柱に沿って上下動する左右一対のアームを設け、前記巻取ドラムに巻装された日除けシートを前記アームの他端に取り付け、アームの一端を前記支柱に沿って上下動させて該アームを開閉することによって前記日除けシートを前記巻取ドラムから引き出し或は前記巻取ドラムに巻き取るようにしたオーニングの前記アームの開閉をロックする開閉ロック機構を、係合孔が形成されたロックプレートを前記支柱側に固設し、該ロックプレートの前記係合孔に係脱するロックピンと該ロックピンを係合方向に付勢する付勢手段を前記スライダに設けるとともに、レバーの回動操作によって回動して前記ロックプレートの係合孔に係脱するロック解除アームを前記支柱内に設けて構成したことを特徴とする。
【０００７】
請求項２記載の発明は、請求項１記載の発明において、前記ロックプレートの前記ロックピンの摺動面に、ロックピンを該ロックプレートの係合孔に導くためのテーパ面を形成したことを特徴とする。
【０００８】
請求項３記載の発明は、請求項１又は２記載の発明において、前記ロックプレートと前記ロック解除アームを前記アームの開閉位置にそれぞれ設け、前記レバーの回動操作によって前記ロック解除アームを同時に逆方向に回動せしめ、前記アームの開閉位置の一方においてアームの開閉をロックし、他方においてアームの開閉ロックを解除することを特徴とする。
【０００９】
請求項４記載の発明は、請求項３記載の発明において、前記レバーと共に回動する駆動アームを設け、該駆動アームの両端部をリンクロッドを介して２つの前記ロック解除アームにそれぞれ連結したことを特徴とする。
【００１０】
請求項５記載の発明は、請求項４記載の発明において、前記各ロック解除アームをロック又はロック解除位置に保持するための保持手段を前記駆動アーム部に設け、該保持手段を、前記駆動アームをその中立点を境として両回動方向に付勢するスプリングで構成したことを特徴とする。
【００１１】
請求項６記載の発明は、請求項３〜５の何れかに記載の発明において、少なくとも一方の支柱に設けられた前記ロック解除アームと他方の支柱に設けられた前記ロック解除アームとを互いに連結し、一方の支柱に設けられた前記レバーの回動操作によって全ロック解除アームを同時に回動させるよう構成したことを特徴とする。
【００１２】
請求項７記載の発明は、請求項６記載の発明において、左右一対の前記支柱の上端部間に横架された桁材の内部に軸を水平且つ回動可能に収容し、一方の支柱に設けられた前記ロック解除アームの回動をリンクロッドを介して前記軸に伝達し、該軸の回動を別のリンクロッドを介して他方の支柱に設けられた前記ロック解除アームに伝達するよう構成したことを特徴とする。
【発明の効果】
【００１３】
請求項１記載の発明によれば、支柱に沿ってアームと共に上下動するスライダに設けられたロックピンが支柱側に設けられたロックプレートの係合孔に係合することによってアームの移動が阻止されるため、該アームの開閉が確実にロックされる。そして、アームの一端を閉位置から開位置に移動させてこれを開く場合、或は逆にアームの一端を開位置から閉位置に移動させてこれを閉じる場合には、レバーを回動操作してロック解除アームを回し、該ロック解除アームによってロックピンを付勢手段の付勢力に抗してロックプレートの係合孔から押し出してアームのロックを解除した後、該アームの一端を支柱に沿って開位置又は閉位置まで移動させると、そこに設けられたロックプレートの係合孔にロックピンが付勢手段の付勢力によって係入するため、アームの移動が阻止されて該アームの開閉が開位置又は閉位置においてロックされる。
【００１４】
以上のように、レバーを回動操作してアームの開閉ロックを解除した後は、アームを支柱に沿って開位置又は閉位置まで移動させるだけの簡単な操作で該アームの開閉が自動的にロックされるため、当該開閉ロック機構の操作性が高められる。
【００１５】
請求項２記載の発明によれば、レバーを回動操作してアームの開閉ロックを解除した後、アームの一端を支柱に沿って開位置又は閉位置まで移動させると、スライダに設けられたロックピンがロックプレートのテーパ面上を摺動しながら係合孔に導かれ、ロックピンが係合孔に合致すると付勢手段の付勢力によって該ロックピンが係合孔に自動的に係入してアームの移動が阻止されるため、アームを支柱に沿って移動させるだけの簡単な操作で該アームをロックすることができる。
【００１６】
請求項３及び４記載の発明によれば、アームの開閉位置にそれぞれ設けられたロック解除アームをレバーの回動操作によって同時に逆方向に回動せしめ、アームの開閉位置の一方におけるアームのロックと他方におけるアームのロック解除をワンタッチで操作性良く行うことができる。
【００１７】
請求項５記載の発明によれば、スプリングで構成される保持手段によって、各ロック解除アームをロック又はロック解除位置に確実に保持することができる。
【００１８】
請求項６及び７記載の発明によれば、一方の支柱に設けられたロック解除アームと他方の支柱に設けられたロック解除アームとを互いに連結し、一方の支柱に設けられた１つのレバーの回動操作によって全ロック解除アームを同時に回動させるようにしたため、アームのロック解除をワンタッチで操作性良く行うことができる。
【発明を実施するための最良の形態】
【００１９】
以下に本発明の実施の形態を添付図面に基づいて説明する。
【００２０】
図１は本発明に係る開閉ロック機構を備えたオーニングの分解斜視図、図２は同オーニングのアームの開状態（使用状態）を示す側面図、図３（ａ）は図２のＡ部拡大詳細図、図３（ｂ）は図２のＢ部拡大詳細図、図４は同オーニングのアームの閉状態（不使用状態）を示す側面図、図５（ａ）は図４のＣ部拡大詳細図、図５（ｂ）は図４のＤ部拡大詳細図、図６はガイドレールとアーム及び補助アームの連結構造を示す斜視図である。
【００２１】
図１に示すオーニング１において、２は地上等に垂直に立設される左右一対の角パイプ状の支柱であって、これらの支柱２の上端部間には、同じく角パイプ状の桁材３が横架されており、この桁材３の前面には角パイプ状のドラムカバー４が取り付けられている。そして、図２及び図４に示すように、ドラムカバー４内には巻取ドラム５が回転可能に収容されており、この巻取ドラム５には日除けシート６が巻装されている。尚、日除けシート６は、種々のカラーのポリエステル、アクリル等の可撓性シートで構成されており、必要に応じてガラス繊維等の補強材によって強度アップが図られている。
【００２２】
ところで、図１、図２及び図４に示すように、左右一対の前記各支柱２の前面（図２及び図４の右端面）には上下方向に長いチャンネル状のガイドレール７が取り付けられており、このガイドレール７には、丸パイプ状のアーム８の一端がスライダ９を介して上下動可能に支持されている。このアーム８の一端は、ピン１０によってスライダ９に上下方向に回動可能に連結されており、左右のアーム８の他端には、前記巻取ドラム５に巻装された前記日除けシート６の端部が丸パイプ状の前枠１１によって取り付けられている。
【００２３】
他方、左右の各ガイドレール７の上端部には、図６にも示すように、角パイプ状の補助アーム１２の一端がピン１３によって上下方向に回動可能に枢着されており、該補助アーム１２の他端は、前記アーム８の中間部に固着されたステー１４にピン１５にて回動可能に連結されている。そして、補助アーム１２の一端は、ガイドレール７の背面に形成された矩形孔を貫通して支柱２の内部に臨んでおり、その端部にはスプリング１６の一端が連結され、該スプリング１６の他端は、ガイドレール７の背面に固着されたステー１７に連結されている。尚、図６は左右一対のガイドレール７とアーム８及び補助アーム１２の連結構造の一方のみを示すが、他方の連結構造も同様であるため、これについての図示及び説明は省略する。
【００２４】
而して、以上のように構成されたオーニング１においては、左右のアーム８の一端をスライダ９を介して各ガイドレール７に沿って上下動させて該アーム８を開閉することによって日除けシート６を巻取ドラム５から引き出し或は巻取ドラム５に巻き取ることができる。
【００２５】
即ち、図２に示すように、左右のアーム８の各一端をスライダ９を介して各ガイドレール７に沿って上方へと図示Ａ位置（開位置）まで移動させると、該アーム８がその中間に連結された補助アーム１２の作用によってガイドレール７に対して略直角になるよう開くため、両アーム８の他端（先端）に取り付けられた日除けシート６が巻取ドラム５から引き出され、当該オーニング１は使用状態となる。
【００２６】
他方、図２に示す状態から、左右のアーム８の各一端をスライダ９を介して各ガイドレール７に沿って図４に示すＤ位置（開位置）からＣ位置（閉位置）まで下方に移動させると、該アーム８がその中間に連結された補助アーム１２と共に下方へと回動し、両者が図４に示すようにガイドレール７に対して略平行になるよう閉じるため、両アーム８の他端（先端）に取り付けられた日除けシート６が巻取ドラム５に巻き取られて収容され、当該オーニング１が不使用状態となる。尚、図４に示す不使用時において補助アーム１２が折り畳まれると、該補助アーム１２に一端が連結されたスプリング１６が引き伸ばされるため、補助アーム１２とアーム８には、これらを開かせようとする付勢力が作用する。このため、図４に示す不使用状態からアーム８の一端をガイドレール７に沿って上方へと移動させる力が小さくて済み、該アーム８を容易に開いて図２に示すような使用状態にすることができる。
【００２７】
ところで、オーニング１の図２に示す使用状態においても、図４に示す不使用状態においても、強風等によってアーム８が開閉しないようこれをロックしておく必要がある。このため、本実施の形態では、アーム８の開位置（図２のＡ位置）及び閉位置（図４のＣ位置）においてアーム８の開閉をロックする開閉ロック機構を設けている。以下、本発明に係る開閉ロック機構を図７〜図１２に基づいて説明する。
【００２８】
図７はスライダの分解斜視図、図８は開閉ロック機構の作用を示す部分側断面図、図９は操作側のロック解除アームの駆動構造を示す斜視図、図１０は非操作側のロック解除アームの駆動構造を示す斜視図、図１１は桁材の内部構造を示す分解斜視図、図１２は桁材の斜視図である。
【００２９】
前記アーム８の一端と共にガイドレール７に沿って上下動する前記スライダ９は、図７に示すように、本体９Ａと該本体９Ａに複数のネジ１８によって取り付けられたステー１９を備えており、本体９Ａにはガイドレール７に沿って転動する４つのローラ２０が回転可能に軸支されている。そして、本体９Ａには円孔９ａが貫設されており、この円孔９ａには、本体９Ａの端面から出没するロックピン２１とこれを一方向（ロック方向）に付勢するスプリング２２が収納されている。
【００３０】
他方、左右の各ガイドレール７の内面の上下２箇所、つまり開位置（図２のＡ位置及び図４のＤ位置）と閉位置（図２のＢ位置及び図４のＣ位置）には、図８に示すような樹脂製のロックプレート２３が取り付けられている（図３及び図４参照）。
【００３１】
上記ロックプレート２３には、図８に示すように、スライダ９に設けられた前記ロックピン２１が係脱するための円孔状の係合孔２３ａが水平に貫設されており、その表面（ロックピン２１が摺動する面）には、ロックピン２１を係合孔２３ａに導くためのテーパ面２３ｂが形成されている。尚、ロックプレート２３の背面には、後述のロック解除アーム２５の先端爪部２５ａが入り込むための切欠き２３ｃが形成されている。
【００３２】
又、左右の各支柱２の内部の上下２箇所、つまり開位置（図２のＡ位置及び図４のＤ位置）と閉位置（図２のＢ位置及び図４のＣ位置）には、一方（操作側）の支柱２の外面中間部に設けられたレバー２４（図２及び図４参照）の回動操作によって回動してロックプレート２３の前記係合孔２３ａに係脱するロック解除アーム２５がそれぞれ設けられている（図２及び図４参照）。
【００３３】
ここで、一方（操作側）の支柱２の内部に組み込まれたロック解除アーム２５の駆動構造を図９に基づいて説明する。
【００３４】
図９において、３６は支柱２の内部に固定されたプレートであって、このプレート３６の上下２箇所（開位置と閉位置）には前記ロック解除アーム２５が軸２６によって回動可能に支持されている。ここで、各ロック解除アーム２５には、スライダ９に設けられた前記ロックピン２１を押圧して該ロックピン２１のロックプレート２３の係合孔２３ａへの係合を解除する爪部２５ａが設けられている。
【００３５】
又、プレート３６の中間高さ位置には駆動アーム２７が軸２８によって回動可能に支持されており、該駆動アーム２７の一端と下方のロック解除アーム２５の一端とがリンクロッド２９によって連結され、同駆動アーム２７の他端と上方のロック解除アーム２５の一端とがリンクロッド３０によって連結されている。更に、上方のロック解除アーム２５の他端には、上方へ延びるリンクロッド３１が連結されている。尚、駆動アーム２７の設置位置はレバー２４を操作する位置に応じて任意に変更することができ、必ずしもプレート３６の中間高さ位置に設ける必要はない。
【００３６】
ところで、駆動アーム２７と一体に回転する軸２８の端部は支柱２の外部へと突出しており、その突出部には前記レバー２４が結着されている。又、駆動アーム２７には、駆動アーム２７をその中立点を境として両回動方向に付勢することによってロック解除アーム２５をロック又はロック解除位置に保持するための保持手段としてのスプリング３２が設けられている。
【００３７】
次に、他方（非操作側）の支柱２の内部に組み込まれたロック解除アーム２５の駆動構造を図１０に示すが、該駆動構造は、図９に示したレバー２４が設けられていない点を除けば図９に示した駆動側の駆動構造と同じである。従って、図１０においては、図９に示したものと同一要素には同一符号を付しており、以下、それらについての説明は省略する。
【００３８】
而して、本実施の形態では、一方（操作側）の支柱２に設けられた図９に示す上下２つのロック解除アーム２５と他方（非操作側）の支柱２に設けられた図１０に示す上下２つのロック解除アーム２５とは互いに連結され、一方（操作側）の支柱２に設けられたレバー２４の回動操作によって４つの全ロック解除アーム２５が同時に回動されるよう構成されている。
【００３９】
具体的には、図１１及び図１２に示すように、左右一対の支柱２の上端部間に横架された前記桁材３の内部に、丸パイプ状の軸３３を３つの軸受３４によって回動可能に支承して水平に収容し、一方（操作側）の支柱２に設けられたロック解除アーム２５の回動をリンクロッド３１を介して前記軸３３に伝達し、該軸３３の回動を別のリンクロッド３１を介して他方（非操作側）の支柱２に設けられたロック解除アーム２５に伝達するよう構成されている。
【００４０】
ここで、図１１に示すように、軸３３の両端には揺動アーム３５がそれぞれ取り付けられており、一方の揺動アーム３３の一端には図９に示す操作側のリンクロッド３１の上端が連結され、他方の揺動アーム２５の一端には図１０に示す非操作側のリンクロッド３１の上端が連結されている。
【００４１】
次に、以上の構成を有する開閉ロック機構の作用を説明する。
【００４２】
図４に示すように、左右のアーム８が折り畳まれて日除けシート６が巻取ドラム５に巻き取られている状態（オーニング１の不使用時）においては、各アーム８の一端部に連結されたスライダー９は図示のように下方の閉位置（図４のＣ位置にあり）、閉位置においては、ロック解除アーム２５は図５（ａ）に示す姿勢を保ち、その爪部２５ａはロックプレート２３から離脱してスライダ９に設けられたロックピン２１から離脱している。従って、開位置においては、スライダ９に設けられたロックピン２１はスプリング２２によってロックプレート２３方向に付勢されてスライダ９の端面から突出し、その先端部がロックプレート２３の係合孔２３ａに係合する。このため、スライダ９及びアーム８の一端のガイドレール７に沿う移動が阻止され、アーム８の開閉が確実にロックされて該アーム８が図４に示す閉じ状態に保持される。
【００４３】
他方、上方の開位置（図４のＤ位置）においては、ロック解除アーム２５は図５（ｂ）に示す姿勢を保ち、その爪部２５ａはロックプレート２３の係合孔２３ａに裏面側から係合しており、この開位置ではアーム８の開閉ロックは解除（アンロック）されている。
【００４４】
次に、図４に示す不使用状態からオーニング１を使用する場合には、操作側の支柱２に設けられたレバー４を図４の反時計方向（図９の矢印方向）に回す。すると、操作側の支柱２においては、下方のリンクロッド２９が下方に押し下げられ、上方のリンクロッド３０が上方へ押し上げられるため、閉位置（図２のＢ位置）においてはロック解除アーム２５が軸２６を中心として図８の矢印方向（図９の矢印方向）に回動し、開位置（図２のＡ位置）においてはロック解除アーム２５が軸２６を中心として図９の矢印方向に回動する。
【００４５】
又、操作側の支柱２に設けられた１つのレバー２４を回動操作すると、その回動は、図９に示す操作側の駆動アーム２７からリンクロッド３０、ロック解除アーム２５、リンクロッド３１及び図１１に示す揺動アーム３５を経て軸３３に伝達されるため、該軸３３が図１１の矢印方向に回動せしめられる。そして、軸３３の回動は、図１１に示す揺動アーム２５から図１０に示す非操作側のリンクロッド３１を経て上方のロック解除アーム２５に伝達されるとともに、リンクロッド３０と駆動アーム２７及びリンクロッド２９を経て下方のロック解除アーム２５に伝達されるため、非操作側においても閉位置（図２のＢ位置）ではロック解除アーム２５が軸２６を中心として図１０の矢印方向に回動し、開位置（図２のＡ位置）ではロック解除アーム２５が軸２６を中心として図１０の矢印方向に回動する。
【００４６】
従って、本実施の形態に係る開閉ロック機構においては、一方の支柱２に設けられた１つのレバー２４の回動操作によって左右の支柱２内に組み込まれた計４つのロック解除アーム２５を同時に回動させることができ、このとき、各支柱２に組み込まれた上下のロック解除アーム２５は互いに逆方向に回動せしめられる（図９及び図１０参照）。
【００４７】
而して、前述のように閉位置において下方のロック解除アーム２５が図８の矢印方向に回動すると、図８に鎖線にて示すように、該ロック解除アーム２５の爪部２５ａがスライダ９に設けられたロックピン２１の先端を押圧して該ロックピン２１をスプリング２２の付勢力に抗してロックプレート２３の係合孔２３ａから押し出す。すると、ロックプレート２３の係合孔２３ａへのロックピン２１の係合が解除されるため、アーム８の開閉ロックも解除され、該アーム８の一端とスライド９のガイドレール７に沿う移動が可能となる。
【００４８】
以上のように、レバー２４を回動操作して図３（ｂ）に示すようにアーム８の閉位置での開閉ロックを解除した後は、アーム８及びスライダ９をガイドレール７に沿って開位置まで移動（上動）させる。すると、開位置においては、スライダ９に設けられたロックピン２１がロックプレート２３のテーパ面２３ｂ（図８参照）上を摺動しながら係合孔２３ａに導かれ、このロックピン２１が係合孔２３ａに合致するとスプリング２２の付勢力によって該ロックピン２１が係合孔２３ａに自動的に係入してアーム８の移動が阻止される。従って、アーム８をガイドレール７に沿って移動させるだけの簡単な操作で該アーム８の開閉をロックすることができ、このとき、該アーム８は、補助アーム１２の作用によって上方へと回動し、図２に示すように支柱２に対して略直角になるよう開いて日除けシート６を巻取ドラム５から引き出し、これによってオーニング１が使用状態となる。
【００４９】
又、図２に示すようにオーニング１が使用されている状態では、閉位置（図２のＢ位置）においてロック解除アーム２５は図３（ｂ）に示す姿勢を保ち、その爪部２５ａはロックプレート２３の係合孔２３ａに裏面側から係合しており、この開位置ではアーム８の開閉ロックは解除（アンロック）されている。
【００５０】
そして、図２に示す使用状態において、操作側の支柱２に設けられたレバー２４を図２の反時計方向に回すと、左右の各支柱２においては、下方のリンクロッド２９が上方に押し上げられ、上方のリンクロッド３０が下方へ押し下げられるため、開位置（図２のＡ位置）においてはロック解除アーム２５が軸２６を中心として図９及び図１０の反矢印方向に回動する。このため、開位置においてはロック解除アーム２５によってロックピン２１のロックプレート２３の係合孔２３ａへの係合が解除されるため、左右のアーム８の開閉ロックが解除され、該アーム８の一端はスライダ９を介してガイドレール７に沿って移動可能となる。
【００５１】
而して、上述のようにアーム８の開位置でのロックが解除された後は、該アーム８の一端をスライダ９を介してガイドレール７に沿って下方へ移動させると、アーム８と補助アーム１２が下方へと回動して折り畳まれ、アーム８の一端とスライダ９が閉位置（図４のＣ位置）に達すると、スライダ９に設けられたロックピン２１が図５（ａ）に示すようにロックプレート２３の係合孔２３ａに係合するため、アーム８の開閉がロックされ、オーニング１は図４に示す不使用状態となる。
【００５２】
以上のように、本実施の形態においては、ガイドアーム７に沿ってアーム８と共に上下動するスライダ９に設けられたロックピン２１がガイドレール７に固設されたロックプレート２３の係合孔２３ａに係合することによってアーム８の移動が阻止されるため、該アーム８の開閉が確実にロックされる。そして、アーム８を閉位置から開位置に移動させてこれを開く場合、或は逆にアーム８を開位置から閉位置に移動させてこれを閉じる場合には、レバー２４を回動操作してロック解除アーム２５を回し、該ロック解除アーム２５によってロックピン２１をスプリング２２の付勢力に抗してロックプレート２３の係合孔２３ａから押し出してアーム８のロックを解除した後、該アーム８をガイドレール７に沿って開位置又は閉位置まで移動させると、そこに設けられたロックプレート２３の係合孔２３ａにロックピン２１がスプリング２２の付勢力によって係入するため、アーム８の移動が阻止されて該アーム８の開閉が開位置又は閉位置においてロックされる。この場合、スライダ９に設けられたロックピン２１がロックプレート２３のテーパ面２３ｂ上を摺動しながら係合孔２３ａに導かれるため、アーム８の開閉ロックが確実且つ安定的になされる。
【００５３】
このように、レバー２４を回動操作してアーム８の開閉ロックを解除した後は、アーム８をガイドレール７に沿って開位置又は閉位置まで移動させるだけの簡単な操作で該アーム８の開閉が自動的にロックされるため、当該開閉ロック機構の操作性が高められる。
【００５４】
又、本実施の形態では、アーム８の開閉位置にそれぞれ設けられたロック解除アーム２５をレバー２４の回動操作によって同時に逆方向に回動せしめ、アーム８の開閉位置の一方におけるアーム８のロックと他方におけるアーム８のロック解除（アンロック）をワンタッチで操作性良く行うことができる。
【００５５】
更に、一方（操作側）の支柱２に設けられた２つのロック解除アーム２５と他方（非操作側）の支柱２に設けられた２つのロック解除アーム２５とを互いに連結し、一方（操作側）の支柱２に設けられた１つのレバー２４の回動操作によって４つ全てのロック解除アーム２５を同時に回動させるようにしたため、アーム８のロック解除をワンタッチで操作性良く行うことができる。尚、スプリング３２で構成される保持手段によって、各ロック解除アーム２５をロック又はロック解除位置に確実に保持することができる。
【図面の簡単な説明】
【００５６】
【図１】本発明に係る開閉ロック機構を備えたオーニングの分解斜視図である。
【図２】オーニングのアームの開状態（使用状態）を示す側面図である。
【図３】（ａ）は図２のＡ部拡大詳細図、（ｂ）は図２のＢ部拡大詳細図である。
【図４】オーニングのアームの閉状態（不使用状態）を示す側面図ある。
【図５】（ａ）は図４のＣ部拡大詳細図、（ｂ）は図４のＤ部拡大詳細図である。
【図６】ガイドレールとアーム及び補助アームの連結構造を示す斜視図である。
【図７】スライダの分解斜視図である。
【図８】本発明に係る開閉ロック機構の作用を示す部分側断面図である。
【図９】操作側のロック解除アームの駆動構造を示す斜視図
【図１０】非操作側のロック解除アームの駆動構造を示す斜視図である。
【図１１】オーニングの桁材の内部構造を示す分解斜視図である。
【図１２】オーニングの桁材の斜視図である。
【符号の説明】
【００５７】
１          オーニング
２          支柱
３          桁材
４          ドラムカバー
５          巻取ドラム
６          日除けシート
７          ガイドレール
８          アーム
９          スライダ
１０        ピン
１１        前枠
１２        補助アーム
１３        ピン
１４        ステー
１５        ピン
１６        スプリング
１７        ステー
１８        ネジ
１９        ステー
２０        ローラ
２１        ロックピン
２２        スプリング（付勢手段）
２３        ロックプレート
２３ａ      係合孔
２３ｂ      テーパ面
２４        レバー
２５        ロック解除アーム
２６        軸
２７        駆動アーム
２８        軸
２９〜３１  リンクロッド
３２        スプリング（保持手段）
３３        軸
３４        軸受
３５        揺動アーム
３６        プレート
【図１】
0004721224.tif 000002
【図２】
0004721224.tif 000003
【図３】
0004721224.tif 000004
【図４】
0004721224.tif 000005
【図５】
0004721224.tif 000006
【図６】
0004721224.tif 000007
【図７】
0004721224.tif 000008
【図８】
0004721224.tif 000009
【図９】
0004721224.tif 000010
【図１０】
0004721224.tif 000011
【図１１】
0004721224.tif 000012
【図１２】
0004721224.tif 000013